(57)【要約】【課題】商品明細書等の添付書類が配送中に脱落してしまうことや、届け先でこれらの書類が抜き取られないままに廃棄されることを、簡便かつ確実に防止することができ、しかも、低コストであり、作業性のよい配送伝票を提供する。【解決手段】配送伝票１０は、印字用基材１１の伝票領域１２と、タック紙１４とが、剥離構造によって、剥離可能に接着された１ｐｔ方式の配送伝票であり、印字用基材１１は、伝票領域１２と、商品明細書１３とを備え、タック紙１４は、タック基材、粘着剤及び剥離紙が順に積層されたシートであり、ハーフカットｈｃ１によって、剥離紙の周縁部をＵの字型に剥離し、この配送伝票１０を荷物に貼り付けると、剥離紙の中央部と荷物との間に、商品明細書１３を収納する袋形状の収納部が形成され、その収納部に、商品明細書１３を封入し、その後に、ハーフカットｈｃ２によって、剥離紙の上端部を剥離し、収納部を封緘する。【選択図】図１
2005288990.tif 000002
【特許請求の範囲】
【請求項１】
伝票領域及び情報領域を有する基材と、
前記基材の伝票領域の周縁部の一部又は全部に設けられた粘着層とを備える配送伝票であって、
この配送伝票を被着体に貼り付けると、前記基材と前記被着体との間に、前記基材から分離した前記情報領域を収納する袋形状の収納部が形成されること、
を特徴とする配送伝票。
【請求項２】
伝票領域及び情報領域を有する第１の基材と、
少なくとも前記第１の基材の伝票領域に、剥離構造を介して設けられた第２の基材と、
前記第２の基材に、粘着層を介して設けられた第３の基材とを備える配送伝票であって、
前記第３の基材は、その第３の基材の周縁部の一部又は全部を剥離する第１の剥離予定線を備え、
前記第１の剥離予定線によって、前記第３の基材の周縁部の一部又は全部を剥離し、この配送伝票を被着体に貼り付けると、前記第３の基材と前記被着体との間に、前記第１の基材から分離した前記情報領域を収納する袋形状の収納部が形成されること、
を特徴とする配送伝票。
【請求項３】
請求項２に記載の配送伝票において、
前記第２の基材、前記粘着層及び前記第３の基材は、タック基材、粘着層及び剥離シートが順に積層されたタックシートであること、
を特徴とする配送伝票。
【請求項４】
請求項２又は請求項３に記載の配送伝票において、
前記第３の基材は、その第３の基材の残りの周縁部を剥離する第２の剥離予定線を備え、
前記第２の剥離予定線によって、前記第３の基材の残りの周縁部を剥離し、前記収納部を封緘すること、
を特徴とする配送伝票。
【請求項５】
請求項１から請求項４までのいずれか１項に記載の配送伝票において、
前記収納部を開封する開封予定線を備えること、
を特徴とする配送伝票。
【発明の詳細な説明】
【技術分野】
【０００１】
本発明は、通信販売等の商取引に利用するのに好適な配送伝票に関するものである。
【背景技術】
【０００２】
ＩＴ化の伸展に伴い、通信販売は、好調である。
衣料、食品、健康関連商品、家具、電気製品等の家庭で必要なものは、ほとんどが通信販売で揃うようになってきている。
【０００３】
一般に、通信販売業者は、注文される商品が、注文主単位で全く異なるため、『商品明細書』等を利用して、商品をピッキングし、所定の箱に詰め、商品明細書を入れ、箱の封をした後に、配送伝票を貼り付け、商品を発送している。
【０００４】
一方、例えば、１２Ｒ（ロール）セットのトイレットペーパーや、６本セットのミネラルウォーター、テレビ等の家電製品は、ある程度のサイズを有するので、ピッキングして箱詰め、といった作業にはならない。この場合は、もともと梱包されている箱を活用し、そのまま配送するのが一般的である。
【０００５】
したがって、通信販売業者では、ピッキングする（箱詰めする）場合と、ピッキングしない（箱詰めしない）場合とが混在している。
【０００６】
ピッキングする場合も、ピッキングしない場合も、配送伝票と商品明細書とのマッチングが必須となるため、目視や機械でマッチングを行う必要がある、という点は共通しているが、両者に決定的な違いがある。
【０００７】
その違いは、ピッキングする場合には、通信販売業者が自ら箱詰めするため、箱の中に商品明細書を封入できるが、ピッキングしない場合には、そのままの状態では、商品明細書を封入できない、という点にある。
【０００８】
そのため、ピッキングしない場合は、一度箱を開封して商品明細書を封入する方式、又は、箱の外側にビニル封筒等を貼り付け、その中に商品明細書を封入する方式がとられている。
一般的には、後者の方式（ビニル封筒を貼り付け）が採用されている。その理由は、前者の方式（一度箱を開封する）は、家電製品等の場合には、中古品やどこかのお店の展示品だったように見えてしまう場合があり、これがクレームになることがあったからである。
【０００９】
実際には、一度箱を開封すると、再封緘しにくいという作業面の問題もあるが、わざわざ高価なビニル封筒を別途用意して貼り付ける理由は、ＣＳ（顧客満足度）の観点のほうが、重要だからである。
【００１０】
つまり、ピッキングしない場合は、（１）配送伝票、（２）商品明細書（払込取扱票や、はがき等が添付されるものもある）、（３）ビニル封筒、といった３点セットで運用されている。
【００１１】
配送伝票と商品明細書とのマッチング作業が不要になるよう、これらを一体化した形態（例えば、特許文献１）については、すでに提案済みであるが、ビニル封筒を使用するタイプはこれまでなかった。
【００１２】
ビニル封筒を使用する目的は、様々であるが、耐水性の確保が主な目的である。
また、通常の封筒を使用する場合もあるが、その場合は、プライバシーの保護と汚損防止を目的としている。
【００１３】
ビニル封筒は、保冷配送で使用されるわけではないので（ミネラルウォーター等も常温配送）、耐水性は、それほど要求されていないが、雨が降ったり、汗が滴ったりして、商品明細書が濡れてしまうのを防止するために用いられている。
【００１４】
このビニル封筒は、裏面にタック加工を要し、きわめて高価となるため、できるだけ安価なフィルムとして、ＰＰ（ポリプロピレン）が使われる場合が多い。
【００１５】
しかし、ＰＰは、柔軟性もあって便利な材料であるが、コシがないために、作業者は、商品明細書を封入しづらいという問題もあった。
【特許文献１】特開２００３−０４８３８５号公報
【発明の開示】
【発明が解決しようとする課題】
【００１６】
本発明の課題は、商品明細書等の添付書類が配送中に脱落してしまうことや、届け先でこれらの書類が抜き取られないままに廃棄されることを、簡便かつ確実に防止することができ、しかも、低コストであり、作業性のよい配送伝票を提供することである。
【課題を解決するための手段】
【００１７】
本発明は、以下のような解決手段により、前記課題を解決する。なお、理解を容易にするために、本発明の実施例に対応する符号を付して説明するが、これに限定されるものではない。
請求項１の発明は、伝票領域及び情報領域を有する基材と、前記基材の伝票領域の周縁部の一部又は全部に設けられた粘着層とを備える配送伝票であって、この配送伝票を被着体に貼り付けると、前記基材と前記被着体との間に、前記基材から分離した前記情報領域を収納する袋形状の収納部が形成されること、を特徴とする配送伝票である。
【００１８】
請求項２の発明は、伝票領域（１２）及び情報領域（１３）を有する第１の基材（１１）と、少なくとも前記第１の基材（１１）の伝票領域（１２）に、剥離構造を介して設けられた第２の基材と、前記第２の基材に、粘着層を介して設けられた第３の基材とを備える配送伝票であって、前記第３の基材は、その第３の基材の周縁部の一部又は全部を剥離する第１の剥離予定線（ｈｃ１）を備え、前記第１の剥離予定線（ｈｃ１）によって、前記第３の基材の周縁部の一部又は全部を剥離し、この配送伝票を被着体に貼り付けると、前記第３の基材と前記被着体との間に、前記第１の基材（１１）から分離した前記情報領域（１３）を収納する袋形状の収納部が形成されること、を特徴とする配送伝票である。
【００１９】
請求項３の発明は、請求項２に記載の配送伝票において、前記第２の基材、前記粘着層及び前記第３の基材は、タック基材、粘着層及び剥離シートが順に積層されたタックシート（１４）であること、を特徴とする配送伝票である。
【００２０】
請求項４の発明は、請求項２又は請求項３に記載の配送伝票において、前記第３の基材は、その第３の基材の残りの周縁部を剥離する第２の剥離予定線（ｈｃ２）を備え、前記第２の剥離予定線（ｈｃ２）によって、前記第３の基材の残りの周縁部を剥離し、前記収納部を封緘すること、を特徴とする配送伝票である。
【００２１】
請求項５の発明は、請求項１から請求項４までのいずれか１項に記載の配送伝票において、前記収納部を開封する開封予定線（ｈｃ３）を備えること、を特徴とする配送伝票である。
【発明の効果】
【００２２】
本発明によれば、伝票領域及び情報領域を有する基材を備える配送伝票を被着体に貼り付け、基材と被着体との間に、基材から分離した情報領域を収納する袋形状の収納部を形成するようにしたので、簡便かつ確実に商品明細書等の添付書類を配送でき、作業性も向上する。
【発明を実施するための最良の形態】
【００２３】
本発明は、商品明細書等の添付書類が配送中に脱落してしまうことや、届け先でこれらの書類が抜き取られないままに廃棄されることを、簡便かつ確実に防止することができ、しかも、低コストであり、作業性のよい配送伝票を提供するという目的を、伝票領域及び商品明細書を有する印字用基材とタックシートとを剥離可能に貼り合わせ、タックシートの剥離紙の周縁部を剥離し、荷物に貼り付け、剥離紙と荷物との間に、印字用基材から分離した商品明細書を封入することにより実現する。
【実施例１】
【００２４】
以下、図面等を参照して、本発明の実施例について、さらに詳しく説明する。
図１は、本発明による配送伝票の実施例１を示す図である。
実施例１の配送伝票１０は、印字用基材（第１の基材）１１の伝票領域１２と、タック紙１４とが、剥離構造（剥離層／粘着剤）によって、剥離可能に接着された、Ａ３カット紙タイプの１ｐｔ（パート）方式の配送伝票である。
【００２５】
印字用基材１１は、ＮＩＰ（ノンインパクトプリンタ）等のプリンタで印字可能な上質紙であり、伝票領域１２と、商品明細書（情報領域）１３とを備え、伝票領域１２と商品明細書１３との間には、ミシン目ｍｃが切り込まれている。
【００２６】
伝票領域１２は、運送業者が捺印をもらって持ち帰る配達票（判取り片）１２ａと、配達先の情報が印字された荷札となる貼付票１２ｂと、『この袋の中にお買上明細書が入っています。この部分を剥がして、袋の中を必ずご確認ください。』等の注意書きが印字されている注意書き部１２ｃ等とを備える。
【００２７】
商品明細書１３は、お買上明細書１３ａと、払込取扱票１３ｂと、左の端から右の端までに切り込まれた２本のミシン目ｍｃとを備える。
【００２８】
タック紙１４は、タック基材（第２の基材）、粘着剤及び剥離紙（第３の基材）が順に積層されたシートであり、３つのハーフカット（第１及び第２の剥離予定線、開封予定線）ｈｃ１、ｈｃ２、ｈｃ３を備え、最表層のタック基材が伝票領域１２の裏面と接着している。
【００２９】
ハーフカットｈｃ１は、タック紙１４の剥離紙の三方の周縁部（左端部、下端部、右端部）をＵの字型に剥離するためのカット線であり、剥離紙の裏面からタック基材を貫通しないように切り込まれている。
【００３０】
ハーフカットｈｃ２は、タック紙１４の剥離紙の残りの周縁部（上端部）を剥離するためのカット線であり、剥離紙の左の端から右の端まで、かつ、剥離紙の裏面からタック基材を貫通しないように切り込まれている。
【００３１】
ハーフカットｈｃ３は、後述する収納部を開封するためのカット線であり、収納部となる部分に、タック基材の表面から剥離紙を貫通しないように切り込まれている。このハーフカットｈｃ３を切り込む位置は、収納部に収納されるものを取り出しやすくするために、収納部となる部分の端から５ｍｍ以内が好ましい。
【００３２】
次に、実施例１の配送伝票１０の使用方法を、図１及び図２を用いて説明する。
図２は、実施例１の配送伝票の使用方法を示す図である。
まず、図２（Ａ）に示すように、プリンタを用いて、印字用基材１１に必要事項を印字し、中央のミシン目ｍｃを用いて、伝票領域１２と商品明細書１３とを分離する。
【００３３】
ついで、図２（Ｂ）に示すように、商品明細書１３を３つ折り（Ｚ折り）し、ハーフカットｈｃ１によって、剥離紙の周縁部をＵの字型に剥離し、この配送伝票１０を荷物に貼り付ける。このとき、剥離紙の中央部と荷物との間に、印字用基材１１から分離した商品明細書１３を収納する袋形状の収納部（封筒）が形成される。
【００３４】
さらに、図２（Ｃ）に示すように、収納部に商品明細書１３を封入し、ハーフカットｈｃ２によって、商品明細書１３の投入口となっていた上端部の剥離紙を剥離し、収納部を封緘する。この状態で、荷物は配送される。
【００３５】
そして、荷物が届いたら、運送業者は、配達票１２ａを剥離し、捺印をもらって持ち帰る（図１参照）。
【００３６】
最後に、注文主は、ハーフカットｈｃ３によって、収納部を開封し、商品明細書１３を取り出して確認する（図１参照）。
【００３７】
このように、実施例１によれば、以下のような効果がある。
（１）伝票領域１２、商品明細書１３、収納部が一体化されているので、作業効率が向上し、それぞれのマッチングミスも防止でき、ビニル封筒をあらためて用意する必要はなく、コストも抑えることができる。
（２）収納部に商品明細書１３を収納しているので、配送中には、内部の商品明細書１３が飛び出すことがなく、商品明細書１３の不用意な脱落が防止でき、配送後には、簡単に商品明細書１３を取り出すことができ、抜き取られないままに廃棄されてしまうことを防止できる。
（３）収納部は、配送中には、簡単に開封されないようにしたので、プライバシー保護の観点からも有効である。
（４）タックシートを用いているので、安価に製造でき、汎用的である。
（５）大型の家電製品の販売や、通信販売等に利用した場合であっても、商品明細書１３を封入するために荷物を開梱する必要がないので、通信販売主は、作業性が向上し、注文主は、『中古品ではないだろうか』等と疑念を持つこともなく、満足度も向上する。
（６）耐水性についても、商品明細書１３は、配送中には、印字用基材１１／タック基材／粘着剤／剥離紙、といった多層構成で保護されているため、雨や汗からの汚損は、十分防止でき、実用レベルを確保できる。
【実施例２】
【００３８】
図３は、本発明による配送伝票の実施例２を示す図である。
なお、前述した実施例１と同様な機能を果たす部分には、同一の符号又は末尾に統一した符号を付して、重複する説明や図面を適宜省略する。
実施例２の配送伝票１０Ａは、実施例１の配送伝票１０と異なり、連続帳票タイプの１ｐｔ方式の配送伝票である。
また、商品明細書１３は、２つ折りできるように、１本のミシン目ｍｃが切り込まれており、タック紙１４は、印字用基材１１の全面に貼り合わされており、タック紙１４のタック基材には、実施例１の注意書き部１２ｃと同様の注意書きが印字されている。
さらに、ハーフカットｈｃ１は、タック紙１４の剥離紙の全周縁部を剥離できるように切り込まれている。
【００３９】
次に、実施例２の配送伝票１０Ａの使用方法を説明する。
まず、プリンタを用いて、印字用基材１１に必要事項を印字し、タック紙１４から商品明細書１３を剥離する。
【００４０】
ついで、商品明細書１３を２つ折りし、それを荷物の所定位置に配置する。
【００４１】
さらに、ハーフカットｈｃ１によって、タック紙１４の剥離紙の全周縁部を剥離し、商品明細書１３に粘着剤が付着しないように、かつ、商品明細書１３を覆うように、この配送伝票１０を荷物に貼り付ける。この状態で、荷物は配送される。なお、この貼り付け作業は、トンボ（見当合わせ用のマーク）をあらかじめ荷物に印字しておくと行いやすい。
【００４２】
そして、荷物が届いたら、運送業者は、配達票１２ａを剥離し、捺印をもらって持ち帰る。
【００４３】
最後に、注文主は、ハーフカットｈｃ３によって、収納部を開封し、商品明細書１３を取り出して確認する。
【００４４】
このように、実施例２によれば、印字用基材１１の全面にタック紙１４を貼り合わせているため、印字時には、厚み差が生じなく、プリンタ適性が向上し、大量印刷にも好適である。
【００４５】
（変形例）
以上説明した実施例に限定されることなく、種々の変形や変更が可能であって、それらも本発明の均等の範囲内である。
（１）伝票領域及び商品明細書を有する印字用基材と、その印字用基材の伝票領域の周縁部の一部又は全部に設けられた粘着層とを備える配送伝票とし、この配送伝票を被着体に貼り付けて、商品明細書を収納する収納部を形成するようにしてもよい。
（２）第２の基材／粘着層／第３の基材は、タック紙を用いる例で説明したが、タック紙を用いなくてもよい。
（３）家電製品等の場合は、商品明細書１３に、『保証書』を追加してもよい。このようにすれば、家電製品に添付された保証書の記入も不要であり、マッチングが確実になる、といった格別の効果を有する。
（４）第１及び第２の剥離予定線、開封予定線は、ハーフカットの例で説明したが、ミシン目やマイクロミシン目等の他のカット線でもよい。
【図面の簡単な説明】
【００４６】
【図１】本発明による配送伝票の実施例１を示す図である。
【図２】実施例１の配送伝票の使用方法を示す図である。
【図３】本発明による配送伝票の実施例２を示す図である。
【符号の説明】
【００４７】
１０、１０Ａ  配送伝票
１１  印字用基材
１２  伝票領域
１２ａ  配達票
１２ｂ  貼付票
１２ｃ  注意書き部
１３  商品明細書
１３ａ  お買上明細書
１３ｂ  払込取扱票
１４  タック紙
ｈｃ１  ハーフカット
ｈｃ２  ハーフカット
ｈｃ３  ハーフカット
ｍｃ  ミシン目
【図１】
2005288990.tif 000003
【図２】
2005288990.tif 000004
【図３】
2005288990.tif 000005